(57)【要約】【課題】既存のコアネットワークに影響を与えることなく、新規ノードを追加して加入者毎に異なるサービスを提供する。【解決手段】新規サービス提供判別システムは、位置登録要求を発信する携帯端末と、加入者プロファイルの加入者情報を保持する加入者情報レジスタと、前記携帯端末と前記加入者情報レジスタとを接続する交換機と、前記携帯端末と前記交換機との間にプロキシ交換機を有する。携帯端末が位置登録要求を発信する位置登録要求発信手段と、プロキシ交換機が加入者プロファイルを取得する加入者プロファイル取得手段とを備え、携帯端末が位置登録要求を発信することにより、加入者プロファイルの加入者情報に基づいて、新規サービスが記載されている場合には、プロキシ交換機において携帯端末の位置登録を行い、既存サービスが記載されている場合には、プロキシ交換機が交換機に携帯端末の位置登録を行い、各サービスを提供する。【選択図】図１
2007336350.tif 000002
【特許請求の範囲】
【請求項１】
位置登録要求を発信する携帯端末と、加入者プロファイルに含まれる加入者情報を保持する加入者情報レジスタと、前記携帯端末と前記加入者情報レジスタとを接続する交換機と、前記交換機に前記加入者プロファイルを保存する訪問先位置情報レジスタとを備えた新規サービス提供判断システムにおいて、
前記携帯端末と前記交換機との間に前記携帯端末の訪問先位置情報を登録するプロキシ交換機と、前記プロキシ交換機に前記加入者プロファイルを保存する訪問先位置情報レジスタとを有し、
前記携帯端末が前記位置登録要求を発信する位置登録要求発信手段と、
前記プロキシ交換機が前記位置登録要求に対応する前記加入者プロファイルを前記加入者情報レジスタから取得する加入者プロファイル取得手段とを備え、
前記携帯端末が前記位置登録要求を発信することにより、前記プロキシ交換機が取得する前記加入者プロファイルに含まれる加入者情報に基づいて、
前記加入者情報に新規サービスが記載されている場合には、前記プロキシ交換機において前記携帯端末の位置登録を行い、前記新規サービスを提供し、
前記加入者情報に既存サービスが記載されている場合には、前記プロキシ交換機が前記交換機に前記携帯端末の位置登録を行い、前記既存サービスを提供することを特徴とする新規サービス提供判別システム。
【請求項２】
位置登録要求を定期的に発信する携帯端末と、加入者プロファイルに含まれる加入者情報を保持する加入者情報レジスタと、前記携帯端末と前記加入者情報レジスタとを接続する交換機と、前記交換機に前記加入者プロファイルを保存する訪問先位置情報レジスタとを備えた新規サービス提供判断システムにおいて、
前記携帯端末と前記交換機との間に前記携帯端末の訪問先位置情報を登録するプロキシ交換機と、前記プロキシ交換機に前記加入者プロファイルを保存する訪問先位置情報レジスタとを有し、
前記携帯端末が前記位置登録要求を発信する位置登録要求発信手段と、
前記プロキシ交換機が前記位置登録要求を前記加入者情報レジスタへ指示する位置登録要求指示手段と、
前記プロキシ交換機が前記位置登録要求に対応する前記加入者プロファイルを、前記加入者情報レジスタから取得する加入者プロファイル取得手段と、
前記プロキシ交換機において、登録された前記位置登録要求と前記発信された位置登録要求と比較する位置登録要求比較手段と、
前記位置登録要求比較手段により、登録された前記位置登録要求と前記発信された位置登録要求とが異なる場合に、前記発信された位置登録要求に基づいて、登録された前記位置登録要求を管轄する前記プロキシ交換機から、前記発信された位置登録要求を管轄する前記プロキシ交換機に更新するプロキシ交換機更新手段とを備え、
前記プロキシ交換機更新手段により、更新された前記プロキシ交換機が前記加入者情報レジスタから入手する前記加入者プロファイルに含まれる加入者情報に基づいて、
前記加入者情報に新規サービスが記載されている場合には、更新された前記プロキシ交換機において前記携帯端末の位置登録を行い、前記新規サービスを提供し、
前記加入者情報に既存サービスが記載されている場合には、更新された前記プロキシ交換機が、前記発信された位置登録要求に対応する前記交換機に、前記携帯端末の位置登録を行い、前記既存サービスを提供することを特徴とする新規サービス提供判別システム。
【請求項３】
発信要求をする携帯端末と、交換機と、前記交換機に加入者プロファイルを保存する訪問先位置情報レジスタと、前記携帯端末の発信要求により加入者プロファイルの有無を判断するプロキシ交換機と、前記プロキシ交換機に前記加入者プロファイルを保存する訪問先位置情報レジスタとを備えた新規サービス提供判断システムにおいて、
前記携帯端末が発信要求を行う発信手段と、
前記発信要求に対して、前記プロキシ交換機は当該プロキシ交換機が発信要求に応答するか、前記交換機が発信要求に応答するかを判断する発信要求判断手段とを備え、
前記発信要求判断手段は、前記携帯端末の前記発信要求に基づいて、
前記プロキシ交換機に前記発信要求に関係付けられた加入者情報を含む前記加入者プロファイルが存在する場合には、前記プロキシ交換機が発信処理を行ない、
前記プロキシ交換機に前記発信要求に関係付けられた前記加入者情報を含む加入者プロファイルが存在しない場合には、前記交換機が発信処理を行うように判断することを特徴とする新規サービス提供判別システム。
【請求項４】
前記プロキシ交換機は、回線交換機能又はパケット交換機能、又は双方を有し、前記交換機も前記回線交換機能又は前記パケット交換機能、又は双方を有し、
前記プロキシ交換機が前記回線交換機能を有する場合には、前記交換機は前記回線交換機能を有し、
前記プロキシ交換機が前記パケット交換機能を有する場合には、前記交換機は前記パケット交換機能を有し、
前記プロキシ交換機が回線交換機能とパケット交換機能とを有する場合には、前記交換機も前記回線交換機能と前記パケット交換機能とを有することを特徴とする請求項１乃至３のいずれか１項に記載の新規サービス提供判別システム。
【請求項５】
前記新規サービスは、前記既存サービスと同一であることを特徴とする請求項１乃至４のいずれか１項に記載の新規サービス提供判別システム。
【請求項６】
位置登録要求を発信する携帯端末と、加入者プロファイルに含まれる加入者情報を保持する加入者情報レジスタと、前記携帯端末と前記加入者情報レジスタとを接続する交換機と、前記交換機に前記加入者プロファイルを保存する訪問先位置情報レジスタとを備えた新規サービス提供判断方法において、
前記携帯端末と前記交換機との間に前記携帯端末の訪問先位置情報を登録するプロキシ交換機と、前記プロキシ交換機に前記加入者プロファイルを保存する訪問先位置情報レジスタとを有し、
前記携帯端末が前記位置登録要求を発信するステップと、
前記プロキシ交換機が前記位置登録要求に対応する前記加入者プロファイルを前記加入者情報レジスタから取得するステップとを備え、
前記携帯端末が前記位置登録要求を発信することにより、前記プロキシ交換機が取得する前記加入者プロファイルに含まれる加入者情報に基づいて、
前記加入者情報に新規サービスが記載されている場合には、前記プロキシ交換機において前記携帯端末の位置登録を行い、前記新規サービスを提供し、
前記加入者情報に既存サービスが記載されている場合には、前記プロキシ交換機が前記交換機に前記携帯端末の位置登録を行い、前記既存サービスを提供することを特徴とする新規サービス提供判別方法。
【請求項７】
位置登録要求を定期的に発信する携帯端末と、加入者プロファイルに含まれる加入者情報を保持する加入者情報レジスタと、前記携帯端末と前記加入者情報レジスタとを接続する交換機と、前記交換機に前記加入者プロファイルを保存する訪問先位置情報レジスタとを備えた新規サービス提供判断方法において、
前記携帯端末と前記交換機との間に前記携帯端末の訪問先位置情報を登録するプロキシ交換機と、前記プロキシ交換機に前記加入者プロファイルを保存する訪問先位置情報レジスタとを有し、
前記携帯端末が前記位置登録要求を発信するステップと、
前記プロキシ交換機が前記位置登録要求を前記加入者情報レジスタへ指示するステップと、
前記プロキシ交換機が前記位置登録要求に対応する前記加入者プロファイルを、前記加入者情報レジスタから取得するステップと、
前記プロキシ交換機において、登録された前記位置登録要求と前記発信された位置登録要求と比較するステップと、
前記比較するステップにより、登録された前記位置登録要求と前記発信された位置登録要求とが異なる場合に、前記発信された位置登録要求に基づいて、登録された前記位置登録要求を管轄する前記プロキシ交換機から、前記発信された位置登録要求を管轄する前記プロキシ交換機に更新するステップとを備え、
前記更新するステップにより、更新された前記プロキシ交換機が前記加入者情報レジスタから入手する前記加入者プロファイルに含まれる加入者情報に基づいて、
前記加入者情報に新規サービスが記載されている場合には、更新された前記プロキシ交換機において前記携帯端末の位置登録を行い、前記新規サービスを提供し、
前記加入者情報に既存サービスが記載されている場合には、更新された前記プロキシ交換機が、前記発信された位置登録要求に対応する前記交換機に、前記携帯端末の位置登録を行い、前記既存サービスを提供することを特徴とする新規サービス提供判別方法。
【請求項８】
発信要求をする携帯端末と、交換機と、前記交換機に前記加入者プロファイルを保存する訪問先位置情報レジスタと、前記携帯端末の発信要求により加入者プロファイルの有無を判断するプロキシ交換機と、前記プロキシ交換機に前記加入者プロファイルを保存する訪問先位置情報レジスタとを備えた新規サービス提供判断方法において、
前記携帯端末が発信要求を行うステップと、
前記発信要求に対して、前記プロキシ交換機は当該プロキシ交換機が発信要求に応答するか、前記交換機が発信要求に応答するかを判断するステップとを備え、
前記判断するステップは、前記携帯端末の前記発信要求に基づいて、
前記プロキシ交換機に前記発信要求に関係付けられた加入者情報を含む前記加入者プロファイルが存在する場合には、前記プロキシ交換機が発信処理を行ない、
前記プロキシ交換機に前記発信要求に関係付けられた前記加入者情報を含む加入者プロファイルが存在しない場合には、前記交換機が発信処理を行うように判断することを特徴とする新規サービス提供判別方法。
【請求項９】
前記プロキシ交換機は、回線交換機能又はパケット交換機能、又は双方を有し、前記交換機も前記回線交換機能又は前記パケット交換機能、又は双方を有し、
前記プロキシ交換機が前記回線交換機能を有する場合には、前記交換機は前記回線交換機能を有し、
前記プロキシ交換機が前記パケット交換機能を有する場合には、前記交換機は前記パケット交換機能を有し、
前記プロキシ交換機が回線交換機能とパケット交換機能とを有する場合には、前記交換機も前記回線交換機能と前記パケット交換機能とを有することを特徴とする請求項６乃至８のいずれか１項に記載の新規サービス提供判別方法。
【請求項１０】
前記新規サービスは、前記既存サービスと同一であることを特徴とする請求項６乃至９のいずれか１項に記載の新規サービス提供判別方法。
【発明の詳細な説明】
【技術分野】
【０００１】
本発明は、新規サービス提供判別システムに関し、特にサーバを追加した新規サービス提供判別システムに関する。
【背景技術】
【０００２】
近年、携帯電話やパーソナルコンピュータ（Personal Computer）などの普及に伴い、無線回線を介してインターネット（the Internet）に接続し、様々なサービスを受けることができるようになっている。
【０００３】
これにより、多くの携帯電話やパーソナルコンピュータなどが無線回線に接続され、多くのユーザに様々なサービスが提供されると共に、ネットワーク（Network）自体も既存のネットワークに加えて、新規なネットワークが追加され増加しつつある。
【０００４】
そこで、例えば、携帯電話などのセルラー網とインターネットに接続するＩＰ網とを相互に接続する無線端末管理装置を用いたネットワークの一例が、特許文献１に記載されている。
【０００５】
また、移動体通信ネットワークのサーバシステムにおいて、通信プロトコルのフォーマットを変換することにより、通信プロトコルのバージョンが異なるネットワーク網であっても通信を行うことが可能な移動体通信サービス提供システムの一例が、特許文献２に記載されている。
【特許文献１】特開２００１−２３７８７８号公報
【特許文献２】特開２００４−０３２３１９号公報
【発明の開示】
【発明が解決しようとする課題】
【０００６】
しかしながら、従来の無線端末管理装置等においては、新規なネットワークを構築して新規サービスを提供しつつ、ユーザによって既存のサービス、或いは新規サービスのいずれかを適用する場合に、既存のコアネットワークに変更を加える必要があった。
【０００７】
この場合、ＭＳＣ（Mobile Switching Center）においては、既存のサービス機能についての動作保証を保持したまま新規サービス機能を追加する必要があり、既存のコアネットワークの機能構成が複雑にならざるを得なかった。
【０００８】
本発明は上記問題点に鑑みてなされたものであり、既存のコアネットワークに影響を与えることなく、新規ノードを追加して加入者毎に異なるサービスを行う新規サービス提供判別システム、及び新規サービス提供判別方法を提供することを目的とする。
【課題を解決するための手段】
【０００９】
本発明に係る新規サービス提供判別システムは、位置登録要求を発信する携帯端末と、加入者プロファイルに含まれる加入者情報を保持する加入者情報レジスタと、前記携帯端末と前記加入者情報レジスタとを接続する交換機と、前記交換機に前記加入者プロファイルを保存する訪問先位置情報レジスタとを備えた新規サービス提供判断システムにおいて、前記携帯端末と前記交換機との間に前記携帯端末の訪問先位置情報を登録するプロキシ交換機と、前記プロキシ交換機に前記加入者プロファイルを保存する訪問先位置情報レジスタとを有し、前記携帯端末が前記位置登録要求を発信する位置登録要求発信手段と、前記プロキシ交換機が前記位置登録要求に対応する前記加入者プロファイルを前記加入者情報レジスタから取得する加入者プロファイル取得手段とを備え、前記携帯端末が前記位置登録要求を発信することにより、前記プロキシ交換機が取得する前記加入者プロファイルに含まれる加入者情報に基づいて、前記加入者情報に新規サービスが記載されている場合には、前記プロキシ交換機において前記携帯端末の位置登録を行い、前記新規サービスを提供し、前記加入者情報に既存サービスが記載されている場合には、前記プロキシ交換機が前記交換機に前記携帯端末の位置登録を行い、前記既存サービスを提供することを特徴とする。
【００１０】
本発明に係る新規サービス提供判別システムは、位置登録要求を定期的に発信する携帯端末と、加入者プロファイルに含まれる加入者情報を保持する加入者情報レジスタと、前記携帯端末と前記加入者情報レジスタとを接続する交換機と、前記交換機に前記加入者プロファイルを保存する訪問先位置情報レジスタとを備えた新規サービス提供判断システムにおいて、前記携帯端末と前記交換機との間に前記携帯端末の訪問先位置情報を登録するプロキシ交換機と、前記プロキシ交換機に前記加入者プロファイルを保存する訪問先位置情報レジスタとを有し、前記携帯端末が前記位置登録要求を発信する位置登録要求発信手段と、前記プロキシ交換機が前記位置登録要求を前記加入者情報レジスタへ指示する位置登録要求指示手段と、前記プロキシ交換機が前記位置登録要求に対応する前記加入者プロファイルを、前記加入者情報レジスタから取得する加入者プロファイル取得手段と、前記プロキシ交換機において、登録された前記位置登録要求と前記発信された位置登録要求と比較する位置登録要求比較手段と、前記位置登録要求比較手段により、登録された前記位置登録要求と前記発信された位置登録要求とが異なる場合に、前記発信された位置登録要求に基づいて、登録された前記位置登録要求を管轄する前記プロキシ交換機から、前記発信された位置登録要求を管轄する前記プロキシ交換機に更新するプロキシ交換機更新手段とを備え、前記プロキシ交換機更新手段により、更新された前記プロキシ交換機が前記加入者情報レジスタから入手する前記加入者プロファイルに含まれる加入者情報に基づいて、前記加入者情報に新規サービスが記載されている場合には、更新された前記プロキシ交換機において前記携帯端末の位置登録を行い、前記新規サービスを提供し、前記加入者情報に既存サービスが記載されている場合には、更新された前記プロキシ交換機が、前記発信された位置登録要求に対応する前記交換機に、前記携帯端末の位置登録を行い、前記既存サービスを提供することを特徴とする。
【００１１】
本発明に係る新規サービス提供判別システムは、発信要求をする携帯端末と、交換機と、前記交換機に前記加入者プロファイルを保存する訪問先位置情報レジスタと、前記携帯端末の発信要求により加入者プロファイルの有無を判断するプロキシ交換機と、前記交換機に前記加入者プロファイルを保存する訪問先位置情報レジスタとを備えた新規サービス提供判断システムにおいて、前記携帯端末が発信要求を行う発信手段と、前記発信要求に対して、前記プロキシ交換機は当該プロキシ交換機が発信要求に応答するか、前記交換機が発信要求に応答するかを判断する発信要求判断手段とを備え、前記発信要求判断手段は、前記携帯端末の前記発信要求に基づいて、前記プロキシ交換機に前記発信要求に関係付けられた加入者情報を含む前記加入者プロファイルが存在する場合には、前記プロキシ交換機が発信処理を行ない、前記プロキシ交換機に前記発信要求に関係付けられた前記加入者情報を含む加入者プロファイルが存在しない場合には、前記交換機が発信処理を行うように判断することを特徴とする。
【００１２】
また本発明に係る新規サービス提供判別システムは、前記プロキシ交換機は、回線交換機能又はパケット交換機能、又は双方を有し、前記交換機も前記回線交換機能又は前記パケット交換機能、又は双方を有し、前記プロキシ交換機が前記回線交換機能を有する場合には、前記交換機は前記回線交換機能を有し、前記プロキシ交換機が前記パケット交換機能を有する場合には、前記交換機は前記パケット交換機能を有し、前記プロキシ交換機が回線交換機能とパケット交換機能とを有する場合には、前記交換機も前記回線交換機能と前記パケット交換機能とを有するようにしても良い。
【００１３】
また本発明に係る新規サービス提供判別システムは、前記新規サービスは、前記既存サービスと同一であっても良い。
【発明の効果】
【００１４】
本発明によれば、プロキシサーバとしての機能を持つプロキシ交換機を追加することにより、他ノードに変更を加えることなく、既存の交換機には無い新規機能の追加を行うことができる。
【発明を実施するための最良の形態】
【００１５】
本発明は、回線交換におけるコアネットワークにおいて、新たにＰｒｏｘｙ−ＭＳＣ(Proxy-Mobile Switching Center)（本発明のプロキシ交換機に該当する。）というノードを加えることで、既存のノードに変更を加えることなく新規サービスの追加が可能となることを特徴としている。
【００１６】
以下、本発明の実施の形態について、図面を用いて詳細に説明する。
（第１の実施の形態）
図１は、回線交換におけるネットワークの概念図を示したものである。
【００１７】
図１の概念図には、構成１には従来のネットワークの構成を示し、構成２には本発明のネットワークの構成を示す。
【００１８】
図１に示す構成１では、ＨＬＲ（Home Location Register）５０と、ＭＳＣ（Mobile Switching Center）ａ４１と、ＶＬＲ (Visitor Location Register) ａ６１と、ＢＳＳ(Base Station Sub-System)ａ２１と、ＢＳＳ ｂ２２と、ＭＴ(Mobile Terminal)５とを備えている。
【００１９】
これに対し、本発明を示す構成２では、従来の構成１に対して新規ノードであるＰｒｏｘｙ−ＭＳＣ３０が、構成１で示した従来のＭＳＣ ａ４１と同様にＶＬＲ ｃ６３を付随して追加された構成となっている。
【００２０】
これにより、本発明は、構成２に示すように、ＶＬＲ ｃ６３が付随したＰｒｏｘｙ−ＭＳＣ３０が追加されていることを特徴としている。
【００２１】
また、各加入者は、ＨＬＲ５０が保持している加入者Ｐｒｏｆｉｌｅにより、従来のＭＳＣ ｂ４２の収容ユーザと本発明のＰｒｏｘｙ−ＭＳＣ３０の収容ユーザとに区別されている。
【００２２】
ここでは、加入者Ｐｒｏｆｉｌｅには、加入者の端末に関する情報として、携帯端末ＭＴ５或いは１０の携帯識別番号と、後述する位置登録エリア番号（ＬＡＩ）と、各種サービスを受ける内容とが記載されており、従来のＭＳＣ ｂ４２の収容ユーザは、通話に関するサービスのみを受けるものとし、本発明のＰｒｏｘｙ−ＭＳＣ３０の収容ユーザは、ショートメッセージなどの新規サービスも併せて受けることができるものとする。
【００２３】
また後述する位置登録エリア番号（ＬＡＩ）については、ＨＬＲ５０に登録する度に記載され、定期的に更新されるようになっている。
【００２４】
なお本発明は、ネットワークの構成に関する発明であり、ショートメッセージというサービスは、既存のネットワークに含まれていないサービスであって、新規なサービスとして提供する際のネットワークの構成を例示するものである。
【００２５】
但し、本発明に係るサービスは例示であって、第１の実施の形態で示す通話に関するサービスやショートメッセージなどのサービスに限定されるものではない。
【００２６】
従来のネットワークの構成を示す構成１では、ＭＳＣ ａ４１のエリア内にあるＭＴ５の位置登録要求や発信要求は、ＢＳＳ ａ２１、或はＢＳＳ ｂ２２を介して、ＭＳＣ ａ４１へ送信されるようになっている。
【００２７】
ここで、位置登録要求とは、ＭＴ５自身が、どの基地局のエリアにいるかを通信事業者に知らせるために常に基地局と通信を行っており、この通信を位置登録と言い、この位置登録を要求することを、位置登録要求と言う。
【００２８】
また、発信要求とは、電話やショートメッセージを開始するために通信を行うことを要求することを言う。
【００２９】
従って、構成１では、ＭＳＣ ａ４１がＭＴ５の位置登録要求を受けると、ＭＳＣ ａ４１はＨＬＲ５０に対して位置登録をすると共に、ＨＬＲ５０から加入者Ｐｒｏｆｉｌｅを取得し、ＶＬＲ ａ６１に保存するようになっている。
【００３０】
これにより、ＭＳＣ ａ４１は、ＭＳＣ ａ４１のエリア内に位置するＭＴ５について、ＨＬＲ５０への位置を登録すると共に、ＶＬＲ ａ６１に保存した加入者Ｐｒｏｆｉｌｅに基づいて、通話に関するサービスを提供することができる。
【００３１】
一方、本発明を示す構成２のＰｒｏｘｙ−ＭＳＣ３０は、Ｐｒｏｘｙ−ＭＳＣ３０のエリアでの位置登録時や発信時には、ＭＴ１０によって発信された位置登録要求や発信要求が、ＢＳＳ ｃ２３或いはＢＳＳ ｄ２４を介して、全て自局であるＰｒｏｘｙ−ＭＳＣ３０へ送信されるようになっている。
【００３２】
そしてＰｒｏｘｙ−ＭＳＣ３０は、ＭＴ１０による位置登録要求に伴い、ＨＬＲ５０へ位置登録をすると共に、ＨＬＲ５０から加入者Ｐｒｏｆｉｌｅを取得し、その加入者Ｐｒｏｆｉｌｅによって加入者に適用されるサービスの判別を行なっている。
【００３３】
すなわち、加入者がＰｒｏｘｙ−ＭＳＣ収容ユーザ（新規サービスの提供を受けるユーザ）の場合は、Ｐｒｏｘｙ−ＭＳＣ３０で呼処理を実行し、これに対し、加入者がＭＳＣ収容ユーザ（既存サービスの提供を受けるユーザ）の場合には、新規に設けられたＰｒｏｘｙ−ＭＳＣ３０を介してＭＳＣ ｂ（本発明の交換機に該当する。）４２へ、ＢＳＳ ｃ２３又はＢＳＳ ｄ２４からの位置登録要求もしくは発信要求をそのまま転送し、当該ＭＳＣ ｂ４２において呼処理を実行する。
【００３４】
このように、ＭＳＣ収容ユーザに対しては、既存のＭＳＣ ｂ４２で呼処理を実行することにより、従来のサービスをＰｒｏｘｙ−ＭＳＣ３０を介して、ＭＳＣ ｂ４２から提供されるのに対し、Ｐｒｏｘｙ−ＭＳＣ収容ユーザに対しては、Ｐｒｏｘｙ−ＭＳＣ３０で呼処理を実行することにより、新規のサービスを既存のノードに変更を加えることなく提供することが可能となっている。
【００３５】
従って、ＢＳＳ ｃ２３又はＢＳＳ ｄ２４は、常にＰｒｏｘｙ−ＭＳＣ３０に接続されると共に、Ｐｒｏｘｙ−ＭＳＣ３０を介してＨＬＲ５０に位置登録要求及び発信要求を中継している。
【００３６】
なお、ＭＴ１０は、ＢＳＳ ｃ２３やＢＳＳ ｄ２４から電波を受信して、後述するＬＡＩと携帯識別番号とを関連付けて、定期的に位置登録要求を行うこととする。
（第１の実施例）
図１は、ネットワーク構成の概念図である。構成１及び構成２に示す、ＨＬＲ５０、ＶＬＲ ａ６１、ＶＬＲ ｂ６２、ＶＬＲ ｃ６３、ＭＳＣ ａ４１、ＭＳＣ ｂ４２、ＢＳＳ ａ２１、ＢＳＳ ｂ２２、ＢＳＳ ｃ２３、ＢＳＳ ｄ２４、ＭＴ５、ＭＴ１０は、当業者にとってよく知られており、また本発明とは直接関係しないので、その詳細な説明は省略する。
【００３７】
図１に示した構成１は、従来のネットワーク構成であるのに対し、構成２がＰｒｏｘｙ−ＭＳＣ(Proxy-Mobile Switching Center)３０を追加した場合のネットワーク構成である。
【００３８】
構成１の実施例について説明すると、ＭＳＣ ａ４１は、ＶＬＲ ａ６１を有しており、加入者によりＭＴ５が発信すると、ＢＳＳ ａ２１を介してＭＳＣ ａ４１に発信要求が通知され、ＶＬＲ ａ６１に登録された加入者ＰｒｏｆｉｌｅとＬＡＩとを照合することにより、呼処理が行われるようになっている。
【００３９】
一方、構成２の実施例について説明すると、Ｐｒｏｘｙ−ＭＳＣ３０は、ＭＳＣ ｂ４２とは別のＬＡＩ（Local Area Identity）（後述する位置登録要求に伴う位置登録エリア番号である。）を保持しており、ＨＬＲ５０及びＶＬＲ ｃ６３と連携して、加入者Ｐｒｏｆｉｌｅより加入者がＭＳＣ収容ユーザか、或いはＰｒｏｘｙ−ＭＳＣ収容ユーザであるかについて、後述する判別する機能が備わっている。
【００４０】
ここで、このＬＡＩとは、Ｐｒｏｘｙ−ＭＳＣ３０が監視している受信エリアにおいて、各ＢＳＳに割り当てられた位置登録エリアの識別番号であり、ＭＴ１０が発信を行うと、ＬＡＩとＭＴ１０の携帯識別番号とが、ＢＳＳ ｃ２３、又はＢＳＳ ｄ２４を介してＰｒｏｘｙ−ＭＳＣ３０に到達し、ＭＴ１０に割り当てられたＬＡＩと加入者Ｐｒｏｆｉｌｅに記載されたＬＡＩとの照合を行うことにより、どのノード（すなわち、Ｐｒｏｘｙ−ＭＳＣ３０又はＭＳＣ ｂ４２）を使用する携帯端末かを判断するものである。
【００４１】
具体的には、ＭＴ１０の携帯識別番号とＢＳＳ ｃ２３、又はＢＳＳ ｄ２４のＬＡＩとが、ＭＴ１０において符号（関係付け）が行われ、位置登録要求によってＨＬＲ５０に位置登録されると共に加入者Ｐｒｏｆｉｌｅにも記録され、Ｐｒｏｘｙ−ＭＳＣ３０へ返送される位置登録結果と加入者Ｐｒｏｆｉｌｅとにより、どのノード（Ｐｒｏｘｙ−ＭＳＣ３０又はＭＳＣ ｂ４２）が適用されるか判断されるようになっている。
【００４２】
ここで、ノードとは、リンクによって接続され、ネットワークを構成する単位となるものであり、ここではＰｒｏｘｙ−ＭＳＣ３０やＭＳＣ ｂ４２を指すこととする。
【００４３】
また、加入者がＭＳＣ収容ユーザであった場合は、ＭＳＣ ｂ４２に信号を転送して、ＭＳＣ ｂ４２にて以降の呼処理を実施する。
【００４４】
この場合、ＭＳＣ ｂ４２は、Ｐｒｏｘｙ−ＭＳＣ３０をＢＳＳの一つと見なして登録しておくことにより、ＭＳＣ ｂはＰｒｏｘｙ−ＭＳＣ３０の追加に伴う特殊な処理を実施する必要が無い。
【００４５】
また加入者がＰｒｏｘｙ−ＭＳＣ収容ユーザであった場合には、Ｐｒｏｘｙ−ＭＳＣ３０内で以降の呼処理を実行する。
【００４６】
このように、Ｐｒｏｘｙ−ＭＳＣ３０は、全てのＭＴ１０の位置登録要求を管理し、ＨＬＲ５０から取得する加入者Ｐｒｏｆｉｌｅによって、ショートメッセージ等のサービスの利用できるＰｒｏｘｙ−ＭＳＣ３０の収容ユーザか、或いは通話に関するサービスを利用できるＭＳＣ ｂ４２の収容ユーザかを判断している。
【００４７】
以上の機能により、加入者Ｐｒｏｆｉｌｅに基づいて加入者毎に既存サービス、或いは新規サービスのいずれかのサービスを提供することが可能となっている。
【００４８】
また、構成１のように当該エリアにＰｒｏｘｙ−ＭＳＣが存在しない場合は、ＭＳＣ収容ユーザ、及びＰｒｏｘｙ−ＭＳＣ収容ユーザ共に、既存のＭＳＣ ａ４１での呼処理を行う。
【００４９】
なお、上記実施例ではＰｒｏｘｙ−ＭＳＣ３０とＶＬＲ ｃ６３とを別ノードとして扱っているが、Ｐｒｏｘｙ−ＭＳＣ３０にＶＬＲ ｃ６３の機能を内蔵して同一のノードとして扱ってもよい。
（動作の説明）
本発明における第１の実施例について、位置登録(アタッチ)時（上述の位置登録エリア番号（すなわちＬＡＩ）により位置の登録を行うことを言い、単にアタッチと言う場合がある。）、位置登録(後述するＬＡ変更)時、発信時の各動作を図２乃至図７に示すシーケンスを使用して説明する。
【００５０】
最初に図２及び図３を用いて、Ｐｒｏｘｙ−ＭＳＣ３０が当該エリアに存在する場合の位置登録(アタッチ)処理シーケンスについて説明する。
【００５１】
図２は、Ｐｒｏｘｙ−ＭＳＣ収容ユーザにおける位置登録(アタッチ)処理を示したシーケンスである。
【００５２】
ＭＴ１０は、アタッチ動作開始時にＢＳＳ２０宛てに位置登録要求を送信する(図２の１００)。位置登録要求を受信したＢＳＳ２０は、Ｐｒｏｘｙ−ＭＳＣ３０宛てに位置登録要求を送信すると(図２の１０１)、Ｐｒｏｘｙ−ＭＳＣ３０は、ＨＬＲ５０宛てに位置登録指示を送信する(図２の１０２)。
【００５３】
位置登録指示を受信したＨＬＲ５０は、位置登録を実施したのち、その結果を位置登録結果通知としてＰｒｏｘｙ−ＭＳＣ３０に返送する(図２の１０３)と共に、加入者Ｐｒｏｆｉｌｅを送付する。
【００５４】
Ｐｒｏｘｙ−ＭＳＣ３０は、自局に付随するＶＬＲに位置登録結果と加入者Ｐｒｏｆｉｌｅとをユーザ情報として登録した後(図２の１０４)、加入者ＰｒｏｆｉｌｅからＰｒｏｘｙ−ＭＳＣ収容ユーザであることを判断する(図２の１０５)。
【００５５】
ここで、加入者Ｐｒｏｆｉｌｅには、ＭＴ１０がサービスを受けることができる内容について記載されており、例えば、ショートメッセージなどのサービスを受けることができる旨が記載されている。
【００５６】
ステップ１０５では、この加入者Ｐｒｏｆｉｌｅの記載内容に基づいて、ＭＴ１０がＭＳＣ４０（図１のＭＳＣ ｂ４２に該当する。）、或いはＰｒｏｘｙ−ＭＳＣ３０のいずれの収容ユーザか、判断するようになっている。
【００５７】
これにより、Ｐｒｏｘｙ−ＭＳＣ３０は、加入者Ｐｒｏｆｉｌｅの記載内容により、Ｐｒｏｘｙ−ＭＳＣ３０の収容ユーザであり、新規サービスのユーザであると判断する。
【００５８】
この場合、Ｐｒｏｘｙ−ＭＳＣ３０は、ＢＳＳ２０に位置登録応答の送信を行い(図２の１０６)、それを受けたＢＳＳ２０は、ＭＴ１０に位置登録応答を送信する(図２の１０７)ことで、一連のアタッチ処理が完了する。
【００５９】
これに対し図３は、ＭＳＣ収容ユーザにおける位置登録(アタッチ)処理を示したシーケンスである。
【００６０】
ＭＴ１０は、アタッチ動作開始時にＢＳＳ２０宛てに位置登録要求を送信する(図３の２００)。位置登録要求を受信したＢＳＳ２０は、Ｐｒｏｘｙ−ＭＳＣ３０宛てに位置登録要求を送信すると(図３の２０１)、Ｐｒｏｘｙ−ＭＳＣ３０は、ＨＬＲ５０宛てに位置登録指示を送信する(図３の２０２)。
【００６１】
位置登録指示を受信したＨＬＲ５０は、位置登録を実施したのち、その結果を位置登録結果通知としてＰｒｏｘｙ−ＭＳＣ３０に返送する(図２の２０３)と共に、加入者Ｐｒｏｆｉｌｅを送付する。
【００６２】
Ｐｒｏｘｙ−ＭＳＣ３０は、自局に付随するＶＬＲに位置登録結果と加入者Ｐｒｏｆｉｌｅとをユーザ情報として登録した後(図３の２０４)、加入者ＰｒｏｆｉｌｅからＭＳＣ収容ユーザであることを判断する(図３の２０５)。
【００６３】
ここで、加入者Ｐｒｏｆｉｌｅには、ＭＴ１０がサービスを受けることができる内容について記載されており、例えば、電話に関するサービスとして、着信転送サービス（かかってきた電話を別の電話に転送する）、発信番号表示／非表示、三者通話などの通話に関する利用可能なサービスのみが記載されている。
【００６４】
ステップ２０５では、この加入者Ｐｒｏｆｉｌｅの記載内容に基づいて、ＭＴ１０がＭＳＣ４０（図１のＭＳＣ ｂ４２に該当する。）、或いはＰｒｏｘｙ−ＭＳＣ３０のいずれの収容ユーザか、判断するようになっている。
【００６５】
これにより、Ｐｒｏｘｙ−ＭＳＣ３０は、加入者Ｐｒｏｆｉｌｅの記載内容により、ＭＳＣ４０の収容ユーザであり、既存サービスのユーザであると判断する。
【００６６】
この場合、Ｐｒｏｘｙ−ＭＳＣ３０は、ＭＳＣ４０に位置登録要求の送信を行い(図３の２０６)、それを受けたＭＳＣ４０は、ＨＬＲ５０宛てに位置登録指示を送信する(図３の２０７)。
【００６７】
ＨＬＲ５０は、既に当該ユーザの位置登録が完了しているため、図３の２０４にてユーザ情報を登録したＰｒｏｘｙ−ＭＳＣ３０宛てにユーザ情報削除要求を送信する(図３の２０７)。
【００６８】
Ｐｒｏｘｙ−ＭＳＣ３０は、自局に付随するＶＬＲ（図１のＶＬＲ ｃ６３に該当する。）からユーザ情報削除を行ったのち(図３の２０９)、ＨＬＲ５０へユーザ情報削除応答を送信する(図３の２１０)。ユーザ情報削除応答を受信したＨＬＲ５０は、位置登録を実施したのち、その結果を位置登録結果通知としてＭＳＣ４０（図１のＭＳＣ ｂ４２に該当する。）に返送する(図３の２１１)と共に、加入者Ｐｒｏｆｉｌｅを送付する。
【００６９】
ＭＳＣ４０は、ＶＬＲ（図１のＶＬＲ ｂ６２に該当）に位置登録結果と加入者Ｐｒｏｆｉｌｅとをユーザ情報として登録した後(図３の２１２)、Ｐｒｏｘｙ−ＭＳＣ３０に位置登録応答(図３の２１３)を送信する。
【００７０】
Ｐｒｏｘｙ−ＭＳＣ３０は、ＢＳＳ２０に位置登録応答を送信して(図３の２１４)、それを受けたＢＳＳ２０は、ＭＴ１０に位置登録応答を送信する(図３の２１５)ことで、一連のアタッチ処理が完了する。
【００７１】
なお、Ｐｒｏｘｙ−ＭＳＣ３０サーバが当該エリアに存在しない場合は、ＭＳＣ４０が従来のアタッチ処理を行う。
【００７２】
このように、新規ノードに対応するＰｒｏｘｙ−ＭＳＣ３０は、ＭＴ１０からの位置登録要求を受けると、ＨＬＲ５０に位置登録を指示すると共に、Ｐｒｏｘｙ−ＭＳＣ３０に付随するＶＬＲ（図１のＶＬＲ ｃ６３に該当する。）に位置登録結果と加入者Ｐｒｏｆｉｌｅとを登録する。
【００７３】
一方、ＭＴ１０が既存ノードに対応する場合であっても、Ｐｒｏｘｙ−ＭＳＣ３０を介して、ＭＳＣ４０に付随するＶＬＲ（図１のＶＬＲ ｂ６２に該当する。）に位置登録結果と加入者Ｐｒｏｆｉｌｅとを登録することができるようになっている。
【００７４】
以上説明したように、本発明においては、以下に記載するような効果を奏する。
【００７５】
第１の効果は、プロキシサーバとしての機能を持つＰｒｏｘｙ−ＭＳＣを追加することにより、他ノードに変更を加えることなく、既存のＭＳＣには無い新規機能の追加が可能となっている。
【００７６】
第２の効果は、ＭＳＣとＰｒｏｘｙ−ＭＳＣを同一エリアに設置し、ユーザ毎に収容先を設定することにより、ユーザ毎に異なるサービスを提供することが可能となっている。
（第２の実施例）
次に図４と図５とを用いた位置登録(ＬＡ変更)処理シーケンスを説明する。
【００７７】
ここで前述のＬＡ（Location Area）変更とは、ＭＴ１０の位置する場所から移動することにより、ＨＬＲ５０に登録された位置を変更することを言う。
【００７８】
ここで、ＬＡは、移動体通信ネットワークシステムにおいて、Ｐｒｏｘｙ−ＭＳＣ３０、又はＭＳＣ４０によって制御されており、複数のＬＡによってサービスエリアを構成するようになっている。
【００７９】
図４と図５とにおいて、Ｎｅｗ Ｐｒｏｘｙ−ＭＳＣ３０とＮｅｗ ＭＳＣ４０は、それぞれ移動先ＬＡに存在するＰｒｏｘｙ−ＭＳＣ（図１のＰｒｏｘｙ−ＭＳＣ３０に該当する。）とＭＳＣ（図１のＭＳＣ ｂ４２に該当する。）である。また、ＯＬＤ ＭＳＣ、ＯＬＤ Ｐｒｏｘｙ−ＭＳＣ５０は、移動前にはＭＴ１０が収容されていたＭＳＣもしくはＰｒｏｘｙ−ＭＳＣである。
【００８０】
図４は、Ｐｒｏｘｙ ＭＳＣ収容ユーザにおける位置登録(ＬＡ変更)処理を示すシーケンスである。
【００８１】
位置登録(アタッチ)を行っている状態でエリア移動を行うと、ＭＴ１０は、ＢＳＳ２０宛てに位置登録要求を送信する(図４の３０１)。位置登録要求を受信したＢＳＳ２０は、Ｎｅｗ Ｐｒｏｘｙ−ＭＳＣ３０宛てに位置登録要求を送信すると(図４の３０２)、Ｎｅｗ Ｐｒｏｘｙ−ＭＳＣ３０は、ＭＴ１０の携帯識別番号とＬＡＩ（前述の位置登録エリア番号）とからＬＡ変更前のＯｌｄ ＭＳＣ、(もしくはＯｌｄ Ｐｒｏｘｙ−ＭＳＣ)４５を特定して認証情報要求を行い(図４の３０３)、Ｏｌｄ ＭＳＣ(もしくはＯｌｄ Ｐｒｏｘｙ−ＭＳＣ)４５から認証情報応答を受け取った後に(図４の３０４)、Ｎｅｗ Ｐｒｏｘｙ−ＭＳＣ３０は、ＨＬＲ５０に対して位置登録指示を行う(図４の３０５)。
【００８２】
この場合、ＭＴ１０の検出は、図１のＰｒｏｘｙ−ＭＳＣ３０が監視するＬＡと、隣接するＬＡを監視するＰｒｏｘｙ−ＭＳＣ（図示せず）とがネットワークを形成することにより、ＬＡＩがエリアを変更してもＭＴ１０の移動を認識することができるようになっている。
【００８３】
ＨＬＲ５０は、既に当該ユーザの位置登録が完了しているため、Ｏｌｄ ＭＳＣ(もしくはＯｌｄ Ｐｒｏｘｙ−ＭＳＣ)４５宛てにユーザ情報削除要求を送信すると(図４の３０６)、Ｏｌｄ ＭＳＣ(もしくはＯｌｄ Ｐｒｏｘｙ−ＭＳＣ)４５は、自局に付随するＶＬＲ（図１のＶＬＲ ｂ６２、又はＶＬＲ ｃ６３が該当する。）からユーザ情報の削除(図４の３０７)を行った後に、ＨＬＲ５０にユーザ情報削除応答を返信する(図４の３０８)。
【００８４】
ＨＬＲ５０は、位置登録を実施したのち、その結果を位置登録結果通知としてＮｅｗ Ｐｒｏｘｙ−ＭＳＣ３０に返送する(図４の３０９)と共に、加入者Ｐｒｏｆｉｌｅを送付する。
【００８５】
Ｎｅｗ Ｐｒｏｘｙ−ＭＳＣ３０は、自局に付随するＶＬＲ（図１のＶＬＲ ｃ６３に該当する。）に位置登録結果と加入者Ｐｒｏｆｉｌｅとをユーザ情報として登録した後(図４の３１０)、加入者ＰｒｏｆｉｌｅからＰｒｏｘｙ−ＭＳＣ収容ユーザであることを判断する(図４の３１１)。
【００８６】
ここで、加入者Ｐｒｏｆｉｌｅには、ＭＴ１０がサービスを受けることができる内容について記載されており、例えば、ショートメッセージなどのサービスを受けることができる旨が記載されている。
【００８７】
ステップ３１１では、この加入者Ｐｒｏｆｉｌｅの記載内容に基づいて、ＭＴ１０がＭＳＣ４０（図１のＭＳＣ ｂ４２に該当する。）、或いはＰｒｏｘｙ−ＭＳＣ３０のいずれの収容ユーザか、判断するようになっている。
【００８８】
これにより、Ｐｒｏｘｙ−ＭＳＣ３０は、加入者Ｐｒｏｆｉｌｅの記載内容により、Ｐｒｏｘｙ−ＭＳＣ３０の収容ユーザであり、新規サービスのユーザであると判断する。
【００８９】
この場合、Ｎｅｗ Ｐｒｏｘｙ−ＭＳＣ３０は、ＢＳＳ２０に位置登録応答の送信を行い(図４の３１２)、それを受けたＢＳＳ２０はＭＴ１０に位置登録応答を送信する(図４の３１３)ことで、一連のＬＡ変更処理が完了する。
【００９０】
これに対し図５は、ＭＳＣ収容ユーザにおける位置登録(ＬＡ変更)処理を示すシーケンスである。
【００９１】
Ｎｅｗ Ｐｒｏｘｙ−ＭＳＣ３０において、自局に付随するＶＬＲ（図１のＶＬＲ ｃ６３に該当する。）に位置登録結果と加入者Ｐｒｏｆｉｌｅとをユーザ情報として登録するまでのシーケンス(図５の４０１から図５の４１０まで)は、図４でのシーケンス(図４の３０１から図４の３１０)と同じため、説明を省略する。
【００９２】
Ｎｅｗ Ｐｒｏｘｙ−ＭＳＣ３０は、加入者ＰｒｏｆｉｌｅからＭＳＣ収容ユーザであることを判断する(図５の４１１)と、Ｎｅｗ ＭＳＣ４０宛てに位置登録要求を送信する(図５の４１２)。
【００９３】
ここで、加入者Ｐｒｏｆｉｌｅには、ＭＴ１０がサービスを受けることができる内容について記載されており、例えば、電話に関するサービスとして、着信転送サービス（かかってきた電話を別の電話に転送する）、発信番号表示／非表示、三者通話などの通話に関する利用可能なサービスのみが記載されている。
【００９４】
ステップ４１１では、この加入者Ｐｒｏｆｉｌｅの記載内容に基づいて、ＭＴ１０がＭＳＣ４０（図１のＭＳＣ ｂ４２に該当する。）、或いはＰｒｏｘｙ−ＭＳＣ３０のいずれの収容ユーザか、判断するようになっている。
【００９５】
これにより、Ｐｒｏｘｙ−ＭＳＣ３０は、加入者Ｐｒｏｆｉｌｅの記載内容により、ＭＳＣ４０の収容ユーザであり、既存サービスのユーザであると判断する。
【００９６】
Ｎｅｗ ＭＳＣ４０は、Ｎｅｗ Ｐｒｏｘｙ−ＭＳＣ３０に対して認証情報要求を行い(図５の４１３)、Ｎｅｗ Ｐｒｏｘｙ−ＭＳＣ３０から認証情報応答を受け取った後に(図５の４１４)、ＨＬＲ５０に対して位置登録指示を行う(図５の４１５)。
【００９７】
ＨＬＲ５０は、既に当該ユーザの位置登録が完了しているため、Ｎｅｗ Ｐｒｏｘｙ−ＭＳＣ３０宛てにユーザ情報削除要求を送信すると(図５の４１６)、Ｎｅｗ Ｐｒｏｘｙ−ＭＳＣ３０は、自局に付随するＶＬＲ（図１のＶＬＲ ｃ６３に該当する。）からユーザ情報の削除(図５の４１７)を行った後に、ＨＬＲ５０にユーザ情報削除応答を返信する(図５の４１８)。
【００９８】
ＨＬＲ５０は、位置登録を実施したのち、その結果を位置登録結果通知としてＮｅｗ ＭＳＣ４０に返送する(図５の４１９)と共に、加入者Ｐｒｏｆｉｌｅを送付する。
【００９９】
Ｎｅｗ ＭＳＣ４０は、自局に付随するＶＬＲ（図１のＶＬＲ ｂ６２に該当する。）に位置登録結果と加入者Ｐｒｏｆｉｌｅとをユーザ情報として登録した後(図５の４２０)、Ｎｅｗ Ｐｒｏｘｙ−ＭＳＣ３０に位置登録応答の送信を行う(図５の４２１)。
【０１００】
Ｎｅｗ Ｐｒｏｘｙ−ＭＳＣ３０は、ＢＳＳ２０に位置登録応答の送信を行い(図５の４２２)、それを受けたＢＳＳ２０は、ＭＴ１０に位置登録応答を送信する(図５の４２３)ことで、一連のＬＡ変更処理が完了する。
【０１０１】
従って、移動先エリアにＰｒｏｘｙ−ＭＳＣ３０が存在しない場合は、従来の位置登録(ＬＡ変更)処理を行う。
【０１０２】
このように、位置登録が変更された場合であっても、新規ノードに対応するＮｅｗ Ｐｒｏｘｙ−ＭＳＣ３０は、Ｎｅｗ Ｐｒｏｘｙ−ＭＳＣ３０に付随するＶＬＲ（図１のＶＬＲ ｃ６３に該当する。）に位置情報を登録することができ、一方、既存ノードに対応する場合であっても、Ｎｅｗ Ｐｒｏｘｙ−ＭＳＣ３０を介して、位置変更後のＮｅｗ ＭＳＣ４０に対して付随するＶＬＲ（図１のＶＬＲ ｂ６２に該当する。）に位置情報を登録することができるようになっている。
【０１０３】
これにより、本発明では位置登録が変更されても、適切にネットワークを切り替えることができ、コアネットワークに変更を加えることなくサービスを提供することができる。
（第３の実施例）
次に図６、７を用いて発信シーケンスを説明する。
【０１０４】
図６は、Ｐｒｏｘｙ−ＭＳＣ収容ユーザにおける発信処理を示したシーケンスである。
【０１０５】
図６において、ＭＴ１０は、発信時にＢＳＳ２０宛てに発信要求を送信する(図６の５０１)。発信要求を受信したＢＳＳ２０は、Ｐｒｏｘｙ−ＭＳＣ３０宛てに発信要求を送信すると(図６の５０２)、Ｐｒｏｘｙ−ＭＳＣ３０は、自局に付随するＶＬＲ（図１のＶＬＲ ｃ６３に該当する。）に当該ＭＴ１０の加入者Ｐｒｏｆｉｌｅが存在するため、種別:Ｐｒｏｘｙ−ＭＳＣと判断する(図６の５０３)。
【０１０６】
この時の加入者Ｐｒｏｆｉｌｅの有無の判断は、ＭＴ１０の発信によって送付されるＬＡＩと加入者Ｐｒｏｆｉｌｅに記載されたＬＡＩとを対比することにより、同一のエリア番号か否かにより判断される。
【０１０７】
ここでは、加入者Ｐｒｏｆｉｌｅに記載されたＬＡＩとＭＴ１０の発信によって送付されるＬＡＩとが同一であるため、ＭＴ１０に対応する加入者Ｐｒｏｆｉｌｅが存在すると判断されるようになっている。
【０１０８】
この場合、Ｐｒｏｘｙ−ＭＳＣ３０において、発信に対する呼処理を継続して実施する(図６の５０４)ことで、一連の発信処理が完了する。
【０１０９】
図7は、ＭＳＣ収容ユーザにおける発信処理を示すシーケンスである。
【０１１０】
図７において、ＭＴ１０は、発信時にＢＳＳ２０宛てに発信要求を送信する(図７の６０１)。発信要求を受信したＢＳＳ２０は、Ｐｒｏｘｙ−ＭＳＣ３０宛てに発信要求を送信すると(図７の６０２)、Ｐｒｏｘｙ−ＭＳＣ３０は、自局に付随するＶＬＲ（図１のＶＬＲ ｃ６３に該当する。）に当該ＭＴ１０の加入者Ｐｒｏｆｉｌｅが存在しないため、種別:ＭＳＣと判断する(図７の６０３)。
【０１１１】
この時の加入者Ｐｒｏｆｉｌｅの有無の判断は、上記と同様にＭＴ１０の発信によって送付されるＬＡＩと加入者Ｐｒｏｆｉｌｅに記載されたＬＡＩとを対比することにより、同一のエリア番号か否かにより判断される。
【０１１２】
ここでは、加入者Ｐｒｏｆｉｌｅに記載されたＬＡＩとＭＴ１０の発信によって送付されるＬＡＩとが異なるため、ＭＴ１０に対応する加入者Ｐｒｏｆｉｌｅが存在しないと判断されるようになっている。
【０１１３】
この場合、Ｐｒｏｘｙ−ＭＳＣ３０は、ＭＳＣ４０に発信要求を送信する(図７の６０４)。ＭＳＣ４０において発信に対する呼処理を実施する(図７の６０５)ことにより、一連の発信処理が完了する。
【０１１４】
このように、Ｐｒｏｘｙ−ＭＳＣ３０、又はＭＳＣ４０において位置登録が完了すると、その局に付随するＶＬＲ（図１のＶＬＲ ｂ６２、又はＶＬＲ ｃ６３に該当する。）に加入者Ｐｒｏｆｉｌｅが存在するので、本発明のように新規ノードを管理するＰｒｏｘｙ−ＭＳＣ３０に常にアクセスすることにより、既存のノードにネットワーク構成の変更を加える必要がなく、ＶＬＲ（図１のＶＬＲ ｂ６２、又はＶＬＲ ｃ６３に該当する。）に登録された加入者ＰｒｏｆｉｌｅとＭＴ１０のＬＡＩとを照合させることにより、サービスに応じたＰｒｏｘｙ−ＭＳＣ３０又はＭＳＣ４０から発信処理を行うことができる。
【０１１５】
なお、着信時の動作については、従来の動作と変わらないので省略する。
【０１１６】
また、本発明に係る第１の実施の形態では、Ｐｒｏｘｙ−ＭＳＣ３０の新規サービスとしてショートメッセージに適用した場合について述べたが、本発明はこれに限らず、ＭＳＣ４０と同様のサービスを実装するようにしても良く、或いはその他種類の異なる新規なサービスであっても良い。
【０１１７】
この場合、ＭＳＣ４０と同様のサービスを実装することにより、既存のサービスを増強することができる共にＬＡを拡張することができる。さらにＭＳＣ４０と同様のサービスを新規サービスによって併せて提供できることにより、提供するサービスを拡充させることができる。
【０１１８】
また、本発明の第１の実施の形態で示したネットワーク網は、ＭＳＣ４０等を使用したＭＳＣ網に限定されるものではなく、ＳＧＳＮ（Serving GPRS Switching Node）などの交換機により構成されるＩＰ（Internet Protocol）網であっても良く、ネットワークを構成し得る態様であれば良い。
【０１１９】
この場合、追加されるノードは、新規のサービスの提供か、或いは既存のサービスの提供かを判断して切り替えれば良く、ＬＡに対応してＲＡ（Routing Area）をエリアの変更に対応させることにより、ＩＰ網に対応した新規のサービスを提供することができる。
【図面の簡単な説明】
【０１２０】
【図１】本発明の第１の実施の形態による構成の概念図である。
【図２】本発明の第１の実施例によるＰｒｏｘｙ−ＭＳＣ収容ユーザの場合の位置登録シーケンスを示した図である。
【図３】本発明の第１の実施例によるＭＳＣ収容ユーザの場合の位置登録シーケンスを示した図である。
【図４】本発明の第２の実施例によるＰｒｏｘｙ−ＭＳＣ収容ユーザの場合の位置登録（ＬＡ変更）シーケンスを示した図である。
【図５】本発明の第２の実施例によるＭＳＣ収容ユーザの場合の位置登録（ＬＡ変更）シーケンスを示した図である。
【図６】本発明の第３の実施例によるＰｒｏｘｙ−ＭＳＣ収容ユーザの場合の発信シーケンスを示した図である。
【図７】本発明の第３の実施例によるＭＳＣ収容ユーザの場合の発信シーケンスを示した図である。
【符号の説明】
【０１２１】
５  ＭＴ
１０  ＭＴ
２０  ＢＳＳ
２１  ＢＳＳ ａ
２２  ＢＳＳ ｂ
２３  ＢＳＳ ｃ
２４  ＢＳＳ ｄ
３０  Ｐｒｏｘｙ−ＭＳＣ／Ｎｅｗ Ｐｒｏｘｙ−ＭＳＣ
４０  ＭＳＣ／Ｎｅｗ ＭＳＣ
４１  ＭＳＣ ａ４１
４２  ＭＳＣ ｂ４２
４５  Ｏｌｄ ＭＳＣ／Ｏｌｄ Ｐｒｏｘｙ−ＭＳＣ
５０  ＨＬＲ
６１  ＶＬＲ ａ６１
６２  ＶＬＲ ｂ６２
６３  ＶＬＲ ｃ６３
【図１】
2007336350.tif 000003
【図２】
2007336350.tif 000004
【図３】
2007336350.tif 000005
【図４】
2007336350.tif 000006
【図５】
2007336350.tif 000007
【図６】
2007336350.tif 000008
【図７】
2007336350.tif 000009